(57)【要約】      （修正有）【課題】    １つまたはそれ以上のユーザー通信装置から通信ネットワークを更新するための装置とその方法を提供する。【解決手段】通信装置と通信ネットワークとの間の情報の送信を制御したり開始するために、通信装置内の電子スケジューリング、または他の時刻に基づく機能を使用する。１つまたはそれ以上の通信装置から通信ネットワークへの情報は、対応する通信装置と連動する計時装置に対応する、情報記入事項における、時刻に基づく部分に応じて更新される。一度ネットワークがこの更新された情報を受信すると、関連する情報の記入事項間の食違いを検出するため、それらの比較される。検出された食違いは、ユーザーへ適切な通知を開始したり、更新された情報を再生したり、現存するメッセージ伝送システムを不使用とするのに使われる。【選択図】  図１
2005354675.tif 000002
【特許請求の範囲】
【請求項１】
通信ネットワークとともに用いる装置であって、
比較器と、
少なくとも一対の通信デバイスから情報記載事項を受信する、前記ネットワークに接続可能なインタフェースとからなり、
前記情報記載事項の各々は、時刻に基づく情報区分と位置に基づく情報区分とを少なくとも有し、
前記比較器は、前記時刻に基づく情報区分と位置に基づく情報区分とに対して記録された情報を含み、そして、
前記比較器は、前記インタフェースによって受信された前記情報区分の間の食い違いを検出すべく、前記インタフェースに接続可能であることを特徴とする装置。
【請求項２】
請求項１に記載の装置であって、関連する計時デバイスをさらに含み、１またはそれ以上の前記情報記載事項は関連する時刻に基づく要素を含み、前記比較器の動作が、前記情報記載事項と関連する前記時刻に基づく要素に基づいて、前記計時デバイスによってトリガされることを特徴とする装置。
【請求項３】
請求項１に記載の装置において、前記通信デバイスの少なくとも１つは時刻に基づく要素と位置に基づく要素とを有する情報記載事項を送信する電子スケジューラと関連することを特徴とする装置。
【請求項４】
請求項１に記載の装置において、前記通信デバイスの少なくとも１つは、時刻に基づく要素と位置に基づく要素とをその一部として有する情報を送信する二方向ページャであることを特徴とする装置。
【請求項５】
請求項１に記載の装置において、前記少なくとも一対の通信デバイスが、ページャ、ＰＤＡ、デスクトップコンピュータ、ポータブルコンピュータ、電話機、セルラー電話、及び無線信号送信機からなる群から選択されることを特徴とする装置。
【請求項６】
請求項１に記載の装置において、前記インタフェースは、それらの間を結ぶ電線を通る電気インパルス信号、それらの間を結ぶ光ファイバを通る光放射インパルス、それらの間を結ぶ無線接続を通る無線放送信号からなる群から選択された媒体を介して信号を受信することを特徴とする装置。
【請求項７】
時刻に基づく要素と位置に基づく要素とを有する通信情報を確認する、通信ネットワークとともに使用する方法であって、
第１の通信デバイスから情報記載事項を受信するステップからなり、前記通信情報は、デバイスＩＤと、時刻に基づく要素と、位置に基づく要素とを含み、前記方法はさらに、
第２の通信デバイスからネットワークデータベースへ通信情報を結合するステップとからなり、前記通信情報は、デバイスＩＤ、時刻に基づく要素、及び位置に基づく要素と関連しており、前記方法はさらに、
前記第１の通信デバイスから受信した前記情報と、前記第２の通信デバイスから結合された対応する通信情報とを、これらの間の食い違いを検出するために比較するステップからなることを特徴とする方法。
【請求項８】
請求項７に記載の方法であって、前記比較するステップは、前記第１の通信デバイスから受信した前記通信記載事項の前記位置に基づく要素と、事実上同一の時刻に基づく要素を有する、前記第２の通信デバイスから受信した対応する通信情報とにある食い違いを検出するステップをさらに含むことを特徴とする方法。
【請求項９】
請求項７に記載の方法であって、前記結合された通信情報と前記対応する通信情報との間に食い違いが検出されたときには、前記第１及び第２の通信デバイスのうちの少なくとも１つへ質問信号を送信するステップをさらに含むことを特徴とする方法。
【請求項１０】
請求項７に記載の方法において、前記第１の通信デバイスは関連する計時デバイスを有し、前記受信するステップは、前記第１の通信デバイスと関連する前記計時デバイスによる送信に応動して送信された情報記載事項を受信するステップをさらに含むことを特徴とする方法。
【請求項１１】
請求項７に記載の方法において、前記比較するステップは、前記第１の通信デバイスが少なくとも１つの前記情報記載事項を送信したときに、前記第２の通信デバイスの位置を決定するステップと、前記第２の通信デバイスの位置を送信された前記少なくとも１つの情報記載事項の前記位置に基づく要素と比較するステップとをさらに含むことを特徴とする方法。
【請求項１２】
請求項７に記載の方法において、前記第２の通信デバイスは、前記少なくとも１つの情報記載事項が前記第１の送信デバイスによって送信されたときに、前記通信情報を結合することを特徴とする方法。
【請求項１３】
請求項７に記載の方法において、前記第２の通信デバイスが、複数の位置区域のうちの１つに位置し、そして前記第２の通信デバイスは、前記第２の通信デバイスが前記複数の位置区域のうちの新しい１つを入力したときに、前記通信情報を結合することを特徴とする方法。
【請求項１４】
請求項７に記載の方法において、前記第２の通信デバイスは、周期的に、前記通信情報を結合することを特徴とする方法。
【請求項１５】
請求項７に記載の方法において、前記第２の通信デバイスは、連続的に、前記通信情報を結合することを特徴とする方法。
【請求項１６】
請求項７に記載の方法において、少なくとも１つの前記通信デバイスは、ＧＰＳを用いた前記通信情報を結合することを特徴とする方法。
【請求項１７】
請求項１に記載の装置において、前記インタフェースは、前記比較器による食い違いの検出に応動して、少なくとも１つの前記通信デバイスへ質問信号を送信することを特徴とする装置。
【請求項１８】
請求項７に記載の方法であって、前記結合された通信情報と前記対応する通信記載事項との間で食い違いが検出されたときに、前記第１及び第２の通信デバイスのうちの少なくとも１つからの情報を更新するステップをさらに含むことを特徴とする方法。
【発明の詳細な説明】
【技術分野】
【０００１】
本発明は、通信装置による個人通信に関する。特に、本発明は、１つまたはそれ以上の通信装置を使った通信システムにおける情報の転送に関する。
【背景技術】
【０００２】
今日の高移動度社会における通信システムは、電話、セルラー電話、ページャー、パーソナルコンピュータ、ラップトップコンピュータ、個人情報端末（ＰＤＡ）、モデム、ファクシミリ機を含む多くの通信装置と、これらの装置間の通信関係を保つ、ネットワーク、信号交換局、ページング局と、それらの付属サービスを含んでいる。移動体電話技術と無線ページングシステムの進歩は、これらの通信装置の１つまたはそれ以上が、使用中にさまざまに位置を変えることに伴う不具合を減らすことに多大の貢献をしてきた。
【０００３】
移動するユーザーを持った通信システムにおける不具合を減らすのに重要なものは、直ちにアクセスできて、かつ通信装置に関して最新の情報を含んでいるネットワーク、またはネットワークのシステムである。この情報には、例えばある与えられた時刻における特定の通信装置の位置とそのＩＤ、そして音声であろうとデータ情報であろうと、これらの装置により、またはこれらの装置に対し送信される情報の実際の内容を含む。
【０００４】
例えばページングシステムにおいて、移動する個人は携帯ページャーを持っている。典型的なページャーは、ページャー番号を付与され、無線信号を受信できるようになっている。呼出者がページャー番号をダイヤルすると、ページングサービスまたは類似の所から無線信号が放送され、ページャーが聴覚的または視覚的、またはその両方の警報を出すことにより、ページング信号に応答する。この警報は、移動する個人に対して、その個人への連絡が取ろうとされたことを注意する役を果たす。
【０００５】
多くのページャーは、双方向通信できる。つまり双方向ページャーは、ページングサービスからの無線ページング信号を受信するのと同様に、送信することもできるようになっている。ページャーからページングサービスへ送信される情報には、例えば送信時点でのページャーの位置とそのＩＤを含む。ページャーの位置決定の正確さは、現存の、そして将来のネットワークの能力に基づいている。
【０００６】
多くの通信装置は、他の装置との通信を確立することに加え、情報の保存、処理、頒布を含む、他の通信装置から独立した機能を実行できるようになっている。例えばパーソナルコンピュータ（デスクトップとラップトップコンピュータを含む）とＰＤＡは、比較的広範囲にわたる情報処理や保存機能を持っている。
【０００７】
典型的なＰＤＡやパーソナルコンピュータは、「電子的」電話帳やスケジューリングの能力を備えている。そしてそれらの中に含まれている情報は、外部手段からアクセスできる。例えば、電子電話帳の記入事項へは、手動操作によりアクセスでき、電話をかけるためにモデムを通じて送信することができる。同様に、スケジューリングの記入事項を表示したり、装置の内蔵クロックか外部クロックへのアクセスに対応した特定の日時に起動させたりすることができる。
【発明の開示】
【発明が解決しようとする課題】
【０００８】
今日の、また将来の通信システムにおける情報の伝送や保存を、通信システム内の情報の正確さや最新性を高めるようなやり方で改良していくことが望ましい。
【課題を解決するための手段】
【０００９】
本発明は、１つまたはそれ以上のユーザー通信装置からなる通信ネットワークを更新する装置及び方法に関する。特に本発明は、通信装置と通信ネットワーク間の情報の伝達を制御及び／または開始するための、通信装置内の電子スケジューリング、または他の時刻に基づいた機能を使うものである。１つまたはそれ以上の通信装置から通信ネットワークへの情報は、対応する通信装置と結合した計時装置に応じた情報記入事項のうちの、時刻に基づく部分に応答して更新される。また、ネットワークが一度この更新された情報を受信すると、関連する情報記入事項との食違いを検出するために、それらの間の比較を開始する。このようにして、ユーザーにより送られた時刻や地理上の位置情報は、従来や将来の通信ネットワーク技術を用いた通信ネットワークにより再生された、同種の情報と自動的に比較される。検出された食違いは、ユーザーに適切な通知を開始したり、更新された情報を再生するために、または現存するメッセージ配達システムを不使用とするのに使われる。
【発明を実施するための最良の形態】
【００１０】
以下の記述において、本発明の理解を簡単にするため、類似の部分には同じ参照数字が用いられる。
【００１１】
図１を参照すると、本発明の実施例による通信システム１０の構成図が表されている。通信システム１０の一部として、例えば電子スケジューラや電話帳を持った、少なくとも１つの通信システム１２が、含まれている。このような通信装置には、例えばデスクトップコンピュータ、ポータブルコンピュータ、ＰＤＡ、ある種の腕時計、計算器、電話、ページャーとその類を含む。
【００１２】
本説明における議論のために、電子スケジューラや電子スケジューリングとは、興味の対象である通信システム内の、１人またはそれ以上のユーザーのスケジュールの責任を負うものであって、通信装置と結合したものと理解される。同様に、電子電話帳や電子電話帳機能とは、興味の対象である通信システム内の、１人またはそれ以上のユーザーと結びついた、名前、電話番号と他の関連する情報の責任を負うものであって、通信装置と結合したものと理解される。
【００１３】
通信システム１０はまた、１つまたはそれ以上のページングネットワーク１４や、１つまたはそれ以上のワイヤラインネットワークを含む。ネットワークコントローラ２２は、ネットワーク１６に含まれているか、または動作可能なように接続されており、これが例えばページングネットワーク１４や通信装置１２から受信した情報を処理する。またネットワーク１６は、ネットワ−クコントローラ２２を通してネットワーク１６が受信する、さまざまな情報を保存するデータベース２４を含む。ネットワークコントローラ２２は、通信ネットワークそのものの一部として図示され、記述されているが、当業者にはネットワークコントローラ２２が、ネットワーク１６やデータベース２４と動作可能なように接続されていさえすれば、それらから離すこともできることが理解されよう。
【００１４】
通信装置１２は、１人またはそれ以上のユーザーから通信装置１２への情報を転送する、例えばキーボード、音声認識モジュール、ディスクドライブ、その他の適当な入力インタフェース３６を通して受信される、ユーザー３４からの情報記入事項を受信するためのコントローラ、またはコントロールユニット３２を含む。
【００１５】
コントロールユニット３２は、通信装置１２へ入ってくる情報（例えば電話帳やスケジューリング情報）を保存するデータベース３８と、動作可能なように接続されている。例えば、データベース３８に保存される情報は、ユーザー３４の個人的なアポイントメントに関連した情報を含み、またユーザー３４と結びついた、さまざまな人々の名前、住所、電話番号を持った記入事項を含んでいる。データベース３８は、通信装置１２の一部として図示されているが、通信装置１２から転送される情報を受信するのに十分長い時間、通信装置１２によりアクセスできる必要があるだけである。
【００１６】
またコントロールユニット３２は、クロックまたは計時装置４２と、送信機４４とに、動作可能なように接続されている。クロック４２は、時刻に基づく情報をコントロールユニット３２に供給する適当な計時装置であって、例えば図示したような、通信装置１２内に含まれる時計や、または通信装置１２の外部ソースから時刻に基づく情報を得る、内部モジュール（図示しない）である。時刻に基づく情報には、例えば日、時刻、面会約束を含む。
【００１７】
送信機４４は、通信装置１２から、例えばページングネットワーク１４やワイヤラインネットワーク１６を含む多くの他の通信装置のどれかへ情報を適切な形式で、適当な媒体を通して送信する装置である。送信機４４は、通信装置１２へ取り外し可能なように取り付けられるか、またはその代わりに通信装置１２内にインストールあるいは別な方法で組み込まれる。例えば送信機４４は、ポータブル通信装置１２のＰＣＭＩＡスロットに差し込まれる双方向ページャー、または無線モデムであって、通信装置１２から、ページングネットワーク１４により受信されるよう、情報を無線信号（４６として図示される）の形で放送する。それと二者択一的に、従来の技術を使った有線（４８として図示される）により情報を送信することもできる。つまり情報は、電線を伝わる電気インパルス信号か、光ファイバを伝わる光線の形で送信される。
【００１８】
図２は、図１に表された本発明の一実施例による通信システム１０の動作を表す、フローチャートである。通信システム１０は、例えば携帯用通信装置１２（例えばＰＤＡやラップトップコンピュータ）を通して、ユーザー３４の位置や、たぶんユーザー３４にかかる電話（またはページャー）番号のような、ネットワーク情報を更新するのに使われる。フローチャートに示される最初のステップ６４は、通信装置１２へ、例えばユーザー３４が出席を予定している、来るべき会合のような、適当な情報を入力することである。つまり、ユーザー３４がデータベース３８の電子スケジューリング部へ、会合の日時、会合の場所や、ユーザー３４が会おうとしている相手方を入力する。
【００１９】
情報記入事項には、例えば時刻に基づいた要素（つまり会合の開かれる日時）と、場所に基づいた要素（つまり、どこで、誰と会合を持つか）を含む。これら２つの要素から、データベース３８にアクセスすることを通して、またはユーザー３４に尋ねることにより、残りの必要な情報要素を得ることができる。
【００２０】
このようにして、最初の条件分岐点６６は、入力された情報がデータベース３８の一部である電子電話帳に既にあるかどうか、を尋ねる。例えば、入力された情報が、ある場所で会合が開かれることを表しているとすると、最初の条件分岐点６６は、その名前、電話番号や、その人物とその場所に関するその他の情報（重要でない情報も含む）が既にデータベース３８にあるかどうか、を尋ねる。もしその情報があれば、追加情報は入力される必要がなく（時にありうる確認を除いて）、引き続いて残りの情報が、例えばコントロールユニット３２によりアクセスされる。もしその情報がなければ、制御はステップ６８へ進み、そこでユーザー３４に残りの情報を入力するよう指示する。この続いて入力された情報が重要ならば、引き続くアクセスのために、データベース３８の電子電話帳部分に保存される。
【００２１】
条件分岐点６６は、例えば会合が電話により中断されてもいいかどうか、等の追加質問を含む。もし会合が電話により中断されるべきものでない場合は、多分その他の質問は不要となる。しかし会合が、電話、ページングその他のタイプの呼出により中断されてもいいものである場合、正しい呼出番号が指定される必要がある。こうして、条件分岐点６６に含まれる追加質問には、特定の場所や相手方に特に関連する番号や番号群が、会合用として正しいものかどうか、を含んでいる。もし正しければ、時にありうる確認を除いて、追加情報は入力される必要がない。もしそうでなければ（つまりもし会合の開かれる場所とその電話番号、または番号群が、その相手方が会う所として通常特定されたものでないときは）、正しい番号または番号群の入力が求められる。
【００２２】
一度、会合に関するすべての必要な情報が、通信装置１２へ入力されてしまえば、２番目の条件分岐点７２が、ユーザー３４に通信装置１２からの情報の送信について尋ねる。もしユーザー３４が、ネットワーク１６上の情報をすぐに更新するのを選んだときは、その操作による送信ステップ７４がユーザー３４により実行される。しかし、もしユーザー３４が、情報が自動的に送信されるのを望めば、自動送信ステップ７６が、情報記入事項の時刻に基づく部分や通信装置１２の計時装置４２に基づいて、適当な時刻に情報記入事項を送信する。
【００２３】
例えば、以下に詳細に検討されるように、自動送信ステップ７６は、情報記入事項中の捉えられた出来事の時刻に基づく部分が計時装置４２と一致したときに情報記入事項を送信する、出来事に基づくステップである。それと二者択一的に、自動送信ステップ７６は、情報の記入事項中の捉えられた出来事の時刻に必ずしも関連しない特定の時刻に情報記入事項を送信する、時刻に基づくステップである。
【００２４】
送信される情報記入事項は、時刻に基づく部分と、場所に基づく部分とを持っており、さらにその一部として、特定の通信装置１２に独自の装置ＩＤ（例えば装置のＩＤコード）を含んでいる。この装置ＩＤが、現存の、また将来の情報伝送技術により情報伝送源を決定することを可能にする。また。後で検討されるが、装置ＩＤは、各個別の通信装置１２が現存のまた将来の技術により特定される、ある追加的な様相（例えば一般的な、また特定の位置）を可能にしている。通信装置１２の発明部分は、自動送信ステップ７６を含んでいる。このステップでは、計時装置４２と比較される情報記入事項の時刻に基づく部分は、少なくともその情報記入事項の送信をトリガするのに使われる。従って、電子スケジューリング機能、特にその時刻に基づく機能は、通信装置１２からの情報記入事項の送信を制御するために、通信装置１２の時間管理機能と組合せて使われる。
【００２５】
このような情報記入事項の送信は、例えば時間の経過により連続的に変化する計時装置４２の内容に応じた、自動的なものである。このようにして、自動送信ステップ７６の特有の配置により、情報記入事項を、通信装置１２へ入力されてから、その時刻に基づく部分を反映させた特別の時刻までの間のいつでも送信できる。例えばユーザー３４がその月の１５日の午前１０時に会合を持っていて、この情報を通信装置へ、その月７日の大体午後３時頃に入力したとすると、自動送信ステップ７６は、この会合に関する適切な情報を、７日の午後３時から１５日の午前１０時までのいつでも（１５日の午前１０時きっかりの送信も含めて）送信できる。
【００２６】
図１に示すように、送信機４４は情報記入事項を、適当な通信カップリングを通して送信する。つまりページングネットワーク１４により受信される情報記入事項は、無線信号４６を通して送信される。同様に、ネットワークコントローラ２２により直接受信される情報記入事項が、例えば無線赤外線信号を通して、または電線を通る電気インパルス信号を通して、または光ファイバを通る光インパルス信号（一般的に４８として図示される）を通して、送信される。
【００２７】
ネットワークコントローラ２２は、適当な情報をネットワークデータベース２４の適当な場所に保存するために、各情報記入事項毎に装置ＩＤコードを使う。前に検討されたように、この情報には、例えば会合の日、時刻、場所と、会うことになっている相手方、会合が中断されてもよいものであるか、もしそうなら、その会合への連絡番号を含む。また、ネットワークコントローラ２２は、通信装置１２のＩＤと位置を表す情報を受信する。
【００２８】
このようにして、ネットワークコントローラ２２とネットワーク１６は、ユーザー３４の実際の、および／または予期される位置に関する情報を更新する。下記に検討するように、この情報は、例えば発明の他の様相や、現存する、または将来のネットワーク通信技術と共に使われる。
【００２９】
図３を参照すると、少なくとも１つは電子スケジューリング機能を有する、１つまたはそれ以上の通信装置１２、７８へユーザー３４がアクセスするための、本発明の一実施例による通信システム１０の構成図が示されている。例えば、通信装置１２は、電子スケジューリング機能付きのＰＤＡまたはラップトップコンピュータであり、通信装置７８は、通信装置１２に動作可能なように含まれた、またはユーザー３４が身につけた双方向ページャーである。また後で検討されるように、ユーザー３４は、メッセージ配送システム７９にアクセスできる。
【００３０】
通信システム１０は、ネットワークデータベース２４と、ネットワークコントロールポイント（ＮＣＰ）またはコントローラ２２よりなるネットワーク１６を含む。この実施例では、ネットワークコントローラ２２は、全部が図示のごとく動作可能に接続された、インタフェイス８２、ネットワークコントローラデータベース８４、比較器８６を含む。またネットワークコントローラ２２は、図示のようにネットワークデータベース２４と動作可能なように接続されている。通信システム１０の一部にはまた、ページングネットワーク１４が含まれている。通信装置１２、７８は、例えばページングネットワーク１４の受信地域に無線信号４６を送信することにより、ページングネットワーク１４と通信する。しかしながら、適当なカップリングによって、情報をネットワークコントローラ２２に直接送信することもできると考えられる。例えば、もし通信装置１２がデスクトップコンピュータであれば、それからの情報は、例えばモデム、またはデスクトップコンピュータとネットワークインターフェイス８２との間を接続するワイヤを通して送信される。
【００３１】
一般的に、ネットワークコントローラ２２は、情報を、ネットワーク１６へ、またネットワーク１６とそのインタフェース８２との間で、保存したり移動するのを管理する。例えば、ネットワークインターフェイス８２は、通信装置１２、７８を含む複数の通信装置から（ページングネットワーク１４を通して）、またメッセージ配送システム７９から（カップリング４８を通して）情報を受信する。また、ネットワークインタフェース８２は、ネットワーク１６からの情報を、これらの同じ通信装置へ、ページングネットワーク１４とメッセージ配送システム７９へと同様に、送信するのに使われる。
【００３２】
ネットワークコントローラデータベース８４は、ネットワークインターフェイス８２とネットワークデータベース２４との間を移動する情報を、少なくとも一時的に保存する。比較器８６は、後でその動作を詳細に検討するが、ネットワークコントローラデータベース８４に保存された、ある情報の正確さを、ネットワークインターフェイス８２を通過する情報と比較することにより、確かめる。ネットワークデータベース２４は、ネットワークコントローラ２２から受信した情報を保存する。また、ネットワークデータベース２４は、ネットワーク１６やネットワークコントローラ２２による、ネットワーク１６へ出入りする情報の管理のために使用される、ネットワーク動作コード（例えば電話をかける先への経路とやり方）を保持している。
【００３３】
図４は、図３に示す通信システムが、本発明の一実施例によってユーザー３４の位置を決定する動作の一態様を表す、フローチャートである。一般に、ユーザー３４の位置は、１つかそれ以上の通信装置、例えば第１の通信装置１２や第２の通信装置７８から送信された情報を通して比較（または前後参照）される。前に述べたように、本発明の一実施例においては、第１の通信装置１２はＰＤＡであり、第２の通信装置７８は、その配置があたかも１つの通信装置と見做せるような動作が可能なように組み込まれる、双方向ページャーである。それと二者択一的に、ユーザー３４の計画された位置や実際の位置は、１つまたはそれ以上の通信装置から、異なる時刻に送信される情報を通して比較される。例えば、ユーザー３４は将来の特定時刻にどこにいるかを表す情報が送信され、後のその特定時刻に、１つかそれ以上の通信装置から送信された、ユーザー３４の実際の位置を表す情報と比較される。
【００３４】
図４の動作において最初のステップ８８は、第１の通信装置１２からネットワーク１６への、例えば本書で前に述べたようなやり方での、情報の送信である。例えば、通信装置１２は、電子スケジューリングを備え、ユーザー３４の将来の会合の時刻や場所を示す情報の記入事項を、ネットワーク１６へ送信する、ＰＤＡまたはラップトップコンピュータである。
【００３５】
ネットワークコントローラ２２は、情報記入事項を受信し、ネットワークコントローラデータベース８４やネットワークデータベース２４の適当な箇所へ、情報記入事項の内容を保存するために、情報記入事項に含まれていた装置ＩＤコードを使う。適当な箇所とは、情報記入事項が、そこに含まれる１つかそれ以上の比較部分（つまり時刻に基づく部分または場所に基づく部分）に基づいて、アクセスされることができるよう保存されることを意味する。このようにして、ネットワーク１６は、ユーザー３４が将来の特定の時刻にいようとする所を特定する、アクセス可能な情報により、更新される。
【００３６】
続いてポーリングステップ８９が、第２の通信装置７８の実際の位置を決定するため、特定の会合の時刻、またはその近辺で使われる。例えば、第２の通信装置７８は、通信装置１２内に動作可能なように含まれるか、またはユーザー３４に携帯されるページャーであって、従来のページング技術にて知られた方法でその大体の位置を決定するために、ページングネットワーク１４によりポーリングされる。システムの限界や構成により、ポーリングは周期的に、つまり特定の間隔で行なわれるか、または連続的に、コストやそれに類する要件、システムの束縛によってのみ制限されるやり方で、行なわれる。
【００３７】
例えば、もし送信機４４（図１を参照）が双方向ページャーであれば、通信装置１２の地理的位置は、ページングアンテナ、つまり従来の双方向ページングシステムのタワーにより、双方向ページャーの位置から決定される。しかしながら、ある特定の時刻にただ１つの無線通信源、例えばアンテナとかタワーによりサービスされる双方向無線通信装置は、通信装置の地理的位置を決定するのに適していることが、当業者には理解されよう。このことはグローバルポジショニングシステム（ＧＰＳ）の使用を含む。
【００３８】
ポーリングされた情報は、ネットワークコントローラ２２により受信され、例えばコントローラデータベース８４へ、のように適当に保存される。ネットワークコントローラ２２は、ネットワークデータベース２４から、対応または関連した情報を取り出すために、ポーリングされた情報の中の装置ＩＤコードを使う。この動作の次のステップは、条件分岐点９２であり、２つの情報記入事項の、比較可能な部分（つまり第１の通信装置１２からの以前の記入事項と、第２の通信装置７８からのポーリングされた記入事項）を、それらの間に食違いがないかどうか比較（または前後参照）する。
【００３９】
例えば、ネットワークコントローラ２２は、対応する情報記入事項の、時刻に基づく部分が一致したときに、正確を期すために、それらの場所に基づく部分が比較されるように構成されている。このように、条件分岐点９２は、２つの場所に基づく部分が合致するか、つまり２つの地点がほぼ同じかどうかをテストする。もし場所に基づく部分が合致すれば、通信ネットワーク１６は、少なくともその特定の時間の間、それ以上何もする必要がないように構成されている。もしそれらの部分が合致しなければ、通信ネットワーク１６は、ユーザー質問９４が始められるよう、構成されている。それと二者択一的に、通信ネットワーク１６は、例えば引き続く比較のために、第２の通信装置７８からの情報記入事項を更新するように構成されている。
【００４０】
もしユーザー質問ステップ９４がユーザー３４に通知するのに成功すれば、通信ネットワーク１６は、少なくとも特定の会合の時刻に関連する、情報記入事項に関しては、それ以上何もする必要がないように構成されている。しかしながら、もしユーザー質問ステップ９４が、ユーザー３４に連絡を取る、または通知するのに成功しなければ、通信システムは、例えばメッセージ配送システム７９を使用しないよう構成されている。このようにして、例えば情報記入事項間に食違いがあったことを示すメッセージが、ユーザー３４の適当な通信装置へ送信または発信される。
【００４１】
前に述べたように、メッセージ配送システム７９は、ネットワークコントローラインターフェイス８２に動作可能に接続され、例えば現存するネットワーク通信技術を利用している。このように、ここに記述した発明の特徴は、図示したように、適当な伝送媒体４８を通して、現在や将来のメッセージ配送システム７９と共有される。メッセージ配送システムの特徴は、例えば「呼び出された側の位置を示すことにより、入力してくる通信を転送する技術」という名称の米国特許第５４２８６６３号に開示された、呼出者送信システムを含む。
【００４２】
もし第１と第２の通信装置が、ちょうどここに記述されたように２つの異なる通信装置であれば、またはもし第１、第２の通信装置が異なる時刻に情報記入事項を送信する、実際には同じ通信装置であれば、通信システム１０は、ここに記述したやり方で動作することが理解されるべきである。また、１つ以上の通信装置１２からの情報記入事項の比較か、または複数の情報記入事項を送信する１つの通信装置からの情報記入事項の比較かは、ここに記述する発明の特徴の範囲内のことである。
【００４３】
ここに記述する発明の特徴は、ページングネットワークを含む、現存するネットワークのインフラストラクチャーに容易に適合する。例えば発明の特徴は、例えば適当なソフトウエアやハードの配置を通して、現存する、また将来のネットワークと統合される。
【００４４】
ここに記述された通信システムおよび動作方法には、ここに付された特許請求の範囲により定義される発明の精神と範囲を離れることなしに、多くの変更と代替が可能なことは、当業者には明らかであろう。
【図面の簡単な説明】
【００４５】
【図１】本発明の一実施例による通信システムの構成図である。
【図２】図１に表された実施例による本発明の動作を表すフローチャートである。
【図３】本発明の他の実施例による通信システムの構成図である。
【図４】本発明の他の実施例による本発明の動作を表すフローチャートである。
【図１】
2005354675.tif 000003
【図２】
2005354675.tif 000004
【図３】
2005354675.tif 000005
【図４】
2005354675.tif 000006